【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１演出を実行する第１演出実行制御および前記所定表示結果組合せの導出可能性が前記第１演出よりも高い旨を示唆する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１演出を継続する制御を行う、スロットマシン。
【請求項２】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が入賞の発生を許容する所定結果であるときに特定操作手順によって前記導出操作手段が操作されることにより入賞が発生する所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１選択肢と前記事前決定手段の決定結果が入賞の発生を許容しない結果であるときに導出される表示結果組合せの導出可能性がある旨を示唆する第２選択肢とを提示する第１演出を実行する第１演出実行制御および前記第１選択肢と前記第２選択肢とのうち前記第１選択肢を選択する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１選択肢と前記第２選択肢とのうち前記第２選択肢を選択する演出を実行する制御を行う、スロットマシン。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
この種のスロットマシンでは、特許文献１に記載のものがある。
【手続補正４】
【補正対象書類名】明細書
【補正対象項目名】０００４
【補正方法】変更
【補正の内容】
【０００４】
【特許文献１】特開２００８−１６７９９３号公報
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
本発明は、報知した表示結果の内容と実際の表示結果とに矛盾が生じることを防止することができるスロットマシンを提供することを目的とする。
【手続補正７】
【補正対象書類名】明細書
【補正対象項目名】０００７
【補正方法】変更
【補正の内容】
【０００７】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１演出を実行する第１演出実行制御および前記所定表示結果組合せの導出可能性が前記第１演出よりも高い旨を示唆する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１演出を継続する制御を行う
ことを特徴としている。
本発明の請求項２に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が入賞の発生を許容する所定結果であるときに特定操作手順によって前記導出操作手段が操作されることにより入賞が発生する所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１選択肢と前記事前決定手段の決定結果が入賞の発生を許容しない結果であるときに導出される表示結果組合せの導出可能性がある旨を示唆する第２選択肢とを提示する第１演出を実行する第１演出実行制御および前記第１選択肢と前記第２選択肢とのうち前記第１選択肢を選択する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１選択肢と前記第２選択肢とのうち前記第２選択肢を選択する演出を実行する制御を行う
ことを特徴としている。
本発明の手段１に記載のスロットマシンは、
各々が識別可能な複数種類の識別情報（図柄）を変動表示可能な複数の可変表示領域（リール２Ｌ、２Ｃ、２Ｒ（左、中、右リール））のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域（左、中、右リール）のそれぞれに導出された前記表示結果の組み合わせに応じて入賞が発生可能とされたスロットマシン（スロットマシン１）であって、
前記可変表示領域（左、中、右リール）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたことを特定する導出操作特定手段（スイッチ判定処理）と、
前記導出操作特定手段により該導出操作手段が操作されたことが特定されたとき（ストップスイッチ８Ｌ、８Ｃ、８Ｒの立上りエッジが設定されたとき）に、前記可変表示領域（左、中、右リール）に表示結果を導出させる制御を行う導出制御手段（リールの停止制御）と、
前記複数の可変表示領域（左、中、右リール）のうち所定の可変表示領域（左リール）及び特定の可変表示領域（中、右リール）が変動しており、前記所定の可変表示領域（左リール）に表示結果が導出されるよりも前に前記特定の可変表示領域（中、右リール）に表示結果が導出されたときに遊技者に対する不利益（ペナルティ期間）を発生させることが可能な不利益発生手段（サブ制御部９１によるペナルティ期間の制御）と、
を備え、
前記導出制御手段は、
複数の前記可変表示領域（複数のリール）が変動しており、前記導出操作特定手段により該変動中の可変表示領域のいずれかに対応する導出操作手段の操作が単独で特定されたとき（回転中のリールのうちいずれか１のリールに対応するストップスイッチの立上りエッジのみが設定されたとき）に、該操作が特定された導出操作手段（ストップスイッチ）に対応する可変表示領域（リール）に表示結果を導出させる制御を行い、
前記所定の可変表示領域（左リール）及び前記特定の可変表示領域（中リールまたは右リール）が変動しており、前記導出操作特定手段により前記所定の可変表示領域（左リール）に対応する導出操作手段（ストップスイッチ８Ｌ）の操作と前記特定の可変表示領域（中リールまたは右リール）に対応する導出操作手段（ストップスイッチ８Ｃまたはストップスイッチ８Ｒ）の操作とが同時に特定されたとき（左リールに対応するストップスイッチの立上りエッジと中リールまたは右リールに対応するストップスイッチの立上りエッジが同時に設定されたとき）に、前記所定の可変表示領域（左リール）に表示結果を導出させる制御を行わず、前記特定の可変表示領域（中リールまたは右リール）に表示結果を導出させる制御を行う
ことを特徴としている。
この特徴によれば、所定の可変表示領域及び特定の可変表示領域が変動しており、所定の可変表示領域に表示結果が導出されるよりも前に特定の可変表示領域に表示結果が導出されることで遊技者に対して不利益が発生する可能性のある状況において、所定の可変表示領域に対応する導出操作手段の操作と特定の可変表示領域に対応する導出操作手段の操作とが同時に特定されたときには、遊技者に対して不利益が発生しない所定の可変表示領域に表示結果を導出させる制御が行われず、遊技者に対して不利益が発生し得る特定の可変表示領域に表示結果を導出させる制御が行われるようになっており、所定の可変表示領域に対応する導出操作手段の操作と特定の可変表示領域に対応する導出操作手段の操作とが同時に特定された場合、すなわち何らかの不正行為が行われている可能性が疑われる場合には、遊技者にとって不利益が発生し得ることとなるため、遊技者による不正行為を抑制することができる。
【手続補正８】
【補正対象書類名】明細書
【補正対象項目名】００１９
【補正方法】変更
【補正の内容】
【００１９】
リール２Ｌ、２Ｃ、２Ｒの外周部には、図３に示すように、それぞれ「黒７」、「網７（図中網掛け７）」、「白７」、「黒ＢＡＲ」、「白ＢＡＲ」、「リプレイ」、「プラム」、「スイカ」、「チェリー」、「ベル」といった互いに識別可能な複数種類の図柄が所定の順序で、それぞれ２１個ずつ描かれている。リール２Ｌ、２Ｃ、２Ｒの外周部に描かれた図柄は、前面扉１ｂの略中央に設けられた透視窓３において各々上中下三段に表示される。
【手続補正９】
【補正対象書類名】明細書
【補正対象項目名】０１１６
【補正方法】変更
【補正の内容】
【０１１６】
また、本実施例では、滑りコマ数として０〜４の値が定められており、停止操作を検出してから最大４図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【手続補正１０】
【補正対象書類名】明細書
【補正対象項目名】０２３１
【補正方法】変更
【補正の内容】
【０２３１】
図３に示すように、昇格リプレイ１、昇格リプレイ２及び通常リプレイを構成する図柄は、左リール２Ｌ、中リール２Ｃ、右リール２Ｒの全てにおいて５コマ以内に配置されているため、停止操作順に応じて、ストップスイッチ８Ｌ〜８Ｒの停止操作タイミングに関わらず、昇格リプレイ１、昇格リプレイ２または通常リプレイが必ず入賞するようにリール制御が行われる。
【手続補正１１】
【補正対象書類名】明細書
【補正対象項目名】０２３７
【補正方法】変更
【補正の内容】
【０２３７】
図３に示すように、転落リプレイ及び通常リプレイを構成する図柄は、左リール２Ｌ、中リール２Ｃ、右リール２Ｒの全てにおいて５コマ以内に配置されているため、停止操作順に応じて、ストップスイッチ８Ｌ〜８Ｒの停止操作タイミングに関わらず、転落リプレイまたは通常リプレイが必ず入賞するようにリール制御が行われる。
【手続補正１２】
【補正対象書類名】明細書
【補正対象項目名】０２４３
【補正方法】変更
【補正の内容】
【０２４３】
図３に示すように、特殊リプレイ及び通常リプレイを構成する図柄は、左リール２Ｌ、中リール２Ｃ、右リール２Ｒの全てにおいて５コマ以内に配置されているため、停止操作順に応じて、ストップスイッチ８Ｌ〜８Ｒの停止操作タイミングに関わらず、特殊リプレイまたは通常リプレイが必ず入賞するようにリール制御が行われる。
【手続補正１３】
【補正対象書類名】明細書
【補正対象項目名】０２５１
【補正方法】変更
【補正の内容】
【０２５１】
図３に示すように、右下がりベルの構成図柄は、全てのリールにおいて５コマ以内に配置されており、左ベル１〜４が当選した場合に、左押しにて停止操作を行った場合には、停止操作のタイミングに関わらず、必ず右下がりベルを入賞ラインＬＮに揃える制御が行われる一方で、上段ベル１〜８を構成する図柄は、全てのリールにおいて５コマ以上の間隔で配置されている箇所があるため、左ベル１〜４が当選した場合でも、中押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【手続補正１４】
【補正対象書類名】明細書
【補正対象項目名】０２５６
【補正方法】変更
【補正の内容】
【０２５６】
図３に示すように、中段ベルの構成図柄は、全てのリールにおいて５コマ以内に配置されており、中ベル１〜４が当選した場合に、中押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以上の間隔で配置されている箇所があるため、中ベル１〜４が当選した場合でも、左押しまたは右押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【手続補正１５】
【補正対象書類名】明細書
【補正対象項目名】０２６１
【補正方法】変更
【補正の内容】
【０２６１】
図３に示すように、中段ベルの構成図柄は、全てのリールにおいて５コマ以内に配置されており、右ベル１〜４が当選した場合に、右押しにて停止操作を行った場合には、停止操作のタイミングに関わらず、必ず中段ベルを入賞ラインＬＮに揃える制御が行われる一方で、上段ベル１〜８を構成する図柄は、全てのリールにおいて５コマ以上の間隔で配置されている箇所があるため、右ベル１〜４が当選した場合でも、左押しまたは中押しにて停止操作を行った場合には、当選した上段ベル１〜８の構成図柄の引込範囲となる適切なタイミングで停止操作を行わなければ、当選した上段ベルを入賞ラインＬＮに揃えることはできず、その場合には、移行出目が入賞ラインＬＮに揃うように制御される。
【手続補正１６】
【補正対象書類名】明細書
【補正対象項目名】０４０９
【補正方法】変更
【補正の内容】
【０４０９】
前記実施例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
【手続補正１７】
【補正対象書類名】図面
【補正対象項目名】図１５
【補正方法】変更
【補正の内容】
【図１５】
2015002802.tif 000001